(57)【要約】【課題】光の透過性に優れるとともに、優れた美的外観を備えた時計用文字板および装飾用化粧板を提供すること、また、前記時計用文字板を備えた時計を提供することにある。【解決手段】本発明の時計用文字板１は、複数枚の透明フィルム１１を有する積層体で構成されたものであって、透明フィルム１１は光透過性を有する樹脂材料で構成されたものであり、積層体は、３〜５０枚の透明フィルム１１を有し、積層体中、隣り合う透明フィルム１１間に、空気層１２を有していることを特徴とする。透明フィルム１１を構成する樹脂材料の絶対屈折率は、１．４〜１．６であり、透明フィルム１１の平均厚さは、２〜１５０μｍである。【選択図】  図１
2008122161.tif 000002
【特許請求の範囲】
【請求項１】
複数枚の透明フィルムを有する積層体で構成された時計用文字板であって、
前記透明フィルムは、光透過性を有する樹脂材料で構成されたものであり、
前記積層体は、３〜５０枚の前記透明フィルムを有し、
前記積層体中、隣り合う前記透明フィルム間に空気層を有することを特徴とする時計用文字板。
【請求項２】
前記透明フィルムを構成する樹脂材料の絶対屈折率は、１．４〜１．６である請求項１に記載の時計用文字板。
【請求項３】
前記透明フィルムの平均厚さは、２〜１５０μｍである請求項１または２に記載の時計用文字板。
【請求項４】
前記透明フィルムは、ポリメチルメタクリレートを含む材料で構成されたものである請求項１ないし３のいずれかに記載の時計用文字板。
【請求項５】
前記空気層は、前記積層体中、隣り合う前記透明フィルム間に配されたスペーサーにより設けられたものである請求項１ないし４のいずれかに記載の時計用文字板。
【請求項６】
前記空気層の平均厚さは、２〜５０μｍである請求項１ないし５のいずれかに記載の時計用文字板。
【請求項７】
１つの前記空気層中に、複数個の前記スペーサーが配置されており、
前記スペーサーの平均ピッチは、５０〜２０００μｍである請求項１ないし６のいずれかに記載の時計用文字板。
【請求項８】
前記スペーサーの形態は、球状である請求項１ないし７のいずれかに記載の時計用文字板。
【請求項９】
前記スペーサーは、主として、含水ケイ酸アルミニウムで構成されたものである請求項１ないし８のいずれかに記載の時計用文字板。
【請求項１０】
着色剤を含む材料で構成された着色フィルムを、前記積層体を構成する前記透明フィルム間に含む請求項１ないし９のいずれかに記載の時計用文字板。
【請求項１１】
前記積層体の、外光が入射する側の面である第１の面とは反対の第２の面側に、着色剤を含む材料で構成された着色フィルムが配置されている請求項１ないし１０のいずれかに記載の時計用文字板。
【請求項１２】
入射した光を拡散する機能を有する拡散フィルムを、前記積層体を構成する前記透明フィルム間に含む請求項１ないし１１のいずれかに記載の時計用文字板。
【請求項１３】
前記積層体の、外光が入射する側の面である第１の面とは反対の第２の面側に、入射した光を拡散する機能を有する拡散フィルムが配置されている請求項１ないし１２のいずれかに記載の時計用文字板。
【請求項１４】
前記積層体の法線方向から入射した光の透過率は、２０〜５０％である請求項１ないし１３のいずれかに記載の時計用文字板。
【請求項１５】
請求項１ないし１４のいずれかに記載の時計用文字板を備えたことを特徴とする時計。
【請求項１６】
複数枚の透明フィルムを有する積層体で構成された装飾用化粧板であって、
前記透明フィルムは、光透過性を有する樹脂材料で構成されたものであり、
前記積層体は、３〜５０枚の前記透明フィルムを有し、
前記積層体中、隣り合う前記透明フィルム間に空気層を有することを特徴とする装飾用化粧板。
【発明の詳細な説明】
【技術分野】
【０００１】
本発明は、時計用文字板、時計、および装飾用化粧板に関する。
【背景技術】
【０００２】
ソーラー時計（太陽電池を備えた時計）用の文字板では、太陽電池が十分な起電力を発生するのに十分な光量の光を透過させる機能（光透過性）が求められる。このため、従来から、ソーラー時計用文字板としては、透明性の高いプラスチック製の部材が用いられてきた。ところが、プラスチック製の時計用文字板を用いたソーラー時計では、太陽電池が目立ってしまい、美的外観に劣るものであった。この問題を解決するため、時計用文字板を構成するプラスチック材料中に、ガラス質の拡散剤を分散させたり、表面を粗面化することで、文字板に入射する光を散乱させることにより、文字板自体が白色化するのを利用して、太陽電池を目立たなくさせる試みがある。（例えば、特許文献１）
しかしながら、このような構成を備えた時計用文字板は、文字板の下部に配置された太陽電池の存在を十分に目立たないようにすることができず、満足できる美的外観を備えたものではなかった。また、太陽電池を、十分に目立たなくさせるためには、文字板を構成するプラスチック中の拡散剤の含有量を多くする必要がある。このような場合には、時計用文字板を透過させて、太陽電池に十分な光量の光を照射することができず、十分な起電力を発生させることができなかった。
【０００３】
【特許文献１】特開２００５−１８９２０１号公報
【発明の開示】
【発明が解決しようとする課題】
【０００４】
本発明の目的は、光の透過性に優れるとともに、優れた美的外観を備えた時計用文字板を提供すること、また、前記時計用文字板を備えた時計を提供すること、また、光の透過性に優れるとともに、優れた美的外観を有する装飾用化粧板を提供することにある。
【課題を解決するための手段】
【０００５】
このような目的は、下記の本発明により達成される。
本発明の時計用文字板は、複数枚の透明フィルムを有する積層体で構成された時計用文字板であって、
前記透明フィルムは、光透過性を有する樹脂材料で構成されたものであり、
前記積層体は、３〜５０枚の前記透明フィルムを有し、
前記積層体中、隣り合う前記透明フィルム間に空気層を有することを特徴とする。
これにより、光の透過性に優れるとともに、優れた美的外観を備えた時計用文字板を提供することができる。
【０００６】
本発明の時計用文字板では、前記透明フィルムを構成する樹脂材料の絶対屈折率は、１．４〜１．６であることが好ましい。
これにより、光の透過性を十分に高いものとしつつ、時計用文字板としての美的外観を特に優れたものとすることができる。
本発明の時計用文字板では、前記透明フィルムの平均厚さは、２〜１５０μｍであることが好ましい。
これにより、積層体の強度を十分に高いものとすることができ、時計用文字板としての耐久性を特に優れたものとすることができるとともに、美的外観もさらに優れたものとなる。
本発明の時計用文字板では、前記透明フィルムは、ポリメチルメタクリレートを含む材料で構成されたものであることが好ましい。
これにより、光の透過性を十分に高いものとしつつ、時計用文字板としての耐久性、および美的外観を特に優れたものとすることができる。
【０００７】
本発明の時計用文字板では、前記空気層は、前記積層体中、隣り合う前記透明フィルム間に配されたスペーサーにより設けられたものであることが好ましい。
これにより、光の透過性を十分に高いものとしつつ、時計用文字板の美的外観を特に優れたものとすることができる。
本発明の時計用文字板では、前記空気層の平均厚さは、２〜５０μｍであることが好ましい。
これにより、光の透過性を十分に高いものとしつつ、時計用文字板としての耐久性、および美的外観を特に優れたものとすることができる。
【０００８】
本発明の時計用文字板では、１つの前記空気層中に、複数個の前記スペーサーが配置されており、
前記スペーサーの平均ピッチは、５０〜２０００μｍであることが好ましい。
これにより、時計用文字板としての耐久性、および美的外観を特に優れたものとすることができる。
【０００９】
本発明の時計用文字板では、前記スペーサーの形態は、球状であることが好ましい。
これにより、空気層の厚さを制御しやすくなり、透明フィルムの両表面において、入射光を好適に透過、反射させる。これにより、光の透過性を十分に高いものとしつつ、時計用文字板としての美的外観を特に優れたものとすることができる。
本発明の時計用文字板では、前記スペーサーは、主として、含水ケイ酸アルミニウムで構成されたものであることが好ましい。
これにより、透明フィルムとスペーサーとの接着性は優れたものとなるため、積層体の強度はさらに高いものとなり、時計用文字板の耐久性はさらに優れたものとなる。
【００１０】
本発明の時計用文字板では、着色剤を含む材料で構成された着色フィルムを、前記積層体を構成する前記透明フィルム間に含むことが好ましい。
これにより、時計用文字板の美的外観をさらに優れたものとすることができる。
本発明の時計用文字板では、前記積層体の、外光が入射する側の面である第１の面とは反対の第２の面側に、着色剤を含む材料で構成された着色フィルムが配置されていることが好ましい。
これにより、時計用文字板の美的外観をさらに優れたものとすることができる。
【００１１】
本発明の時計用文字板では、入射した光を拡散する機能を有する拡散フィルムを、前記積層体を構成する前記透明フィルム間に含むことが好ましい。
これにより、時計用文字板の美的外観をさらに優れたものとすることができる。
本発明の時計用文字板では、前記積層体の、外光が入射する側の面である第１の面とは反対の第２の面側に、入射した光を拡散する機能を有する拡散フィルムが配置されていることが好ましい。
これにより、時計用文字板の美的外観をさらに優れたものとすることができる。
本発明の時計用文字板では、前記積層体の法線方向から入射した光の透過率は、２０〜５０％であることが好ましい。
これにより、ソーラー時計用の時計用文字板として、より好適に用いることができる。
【００１２】
本発明の時計は、本発明の時計用文字板を備えたことを特徴とする。
これにより、美的外観に優れた時計を提供することができる。また、外部からの光を有効に利用することが可能な時計（例えば、ソーラー時計、ソーラー電波時計等）を提供することができる。
本発明の装飾用化粧板は、複数枚の透明フィルムを有する積層体で構成された装飾用化粧板であって、
前記透明フィルムは、光透過性を有する樹脂材料で構成されたものであり、
前記積層体は、３〜５０枚の前記透明フィルムを有し、
前記積層体中、隣り合う前記透明フィルム間に空気層を有することを特徴とする。
これにより、光の透過性に優れるとともに、美的外観に優れた装飾用化粧板を提供することができる。
【発明の効果】
【００１３】
本発明によれば、光の透過性に優れるとともに、優れた美的外観を備えた時計用文字板および装飾用化粧板を提供すること、また、前記時計用文字板を備えた時計を提供することができる。
【発明を実施するための最良の形態】
【００１４】
以下、本発明の好適な実施形態について、添付図面を参照しつつ説明する。
まず、本発明の時計用文字板の好適な実施形態について説明する。
＜時計用文字板（第１次実施形態）＞
図１は、本発明の時計用文字板の第１次実施形態を示す断面図である。
本実施形態の時計用文字板１Ａは、光透過性を有する樹脂材料で構成された透明フィルム１１が、空気層１２を介して、３〜５０枚積層された積層体２Ａで構成されている。以下の説明では、図中上側が光が入射する側、すなわち、観察者側となるようにして用いられるものとする。また、時計用文字板１Ａを構成する積層体２Ａの、光が入射する側の面を第１の面１６、第１の面とは反対側の面を第２の面１７として説明する。なお、後述する図２、図３、図４、図５についても同様とする。また、特に断りのない限り、本発明における屈折率とは、Ｎａ−Ｄランプ（光源波長：５８９．３ｎｍ）を用い、測定温度：２０℃で測定される絶対屈折率を示す。
【００１５】
時計用文字板１Ａは、光透過性を有する複数枚の透明フィルム１１で構成されたものであるため、外表面側から入射した光を好適に透過させることできる。また、積層体２Ａ中、透明フィルム１１の両表面は、空気層１２、もしくは、時計用文字板１Ａの周囲に存在する空気と接している。このため、透明フィルム１１を構成する樹脂材料と空気との屈折率の差により、透明フィルム１１の両表面において、第１の面側から入射した光を、第２の面側へと透過させるとともに、入射光の一部を、第１の面側へと反射する。これにより、例えば、時計用文字板１Ａの第２の面側に太陽電池を備えた時計では、太陽電池が、外表面側から目立ってしまうのを好適に防止することができる。さらに、時計用文字板１Ａは、透明フィルム１１と空気層１２とが交互に積層された構成を有しており、複数の透明フィルム１１の両表面で反射された光が重なり合い、真珠光沢のような優れた美的外観を持たせることができる。
【００１６】
また、時計用文字板１Ａ中の、透明フィルム１１の積層数は、３〜５０である。これにより、時計用文字板１Ａは、十分な光透過性を有するとともに、真珠光沢のような優れた美的外観を備えたものとなる。また、例えば、ソーラー時計用文字板として用いた場合には、時計用文字板１Ａの下部に設置した太陽電池の存在を十分に目立たなくさせることができる。
【００１７】
これに対して、時計用文字板中の、透明フィルムの積層数が、上記範囲の下限値よりも少ない場合、時計用文字板は十分な光透過性を有するものとなるが、透明フィルムの両表面で起こる反射現象の回数が、時計用文字板１Ａに比べ少なくなってしまう結果、真珠光沢のような美的外観を得ることができなくなってしまう。また、このような時計用文字板をソーラー時計用文字板として用いた場合には、太陽電池が目立ってしまい、十分に満足できる美的外観を得ることができない。一方、透明フィルムの積層数が、上記範囲の上限値よりも多い場合、外表面側から入射した光を反射する面が増える結果、時計用文字板を通して、第２の面側へと透過する光の量が少なくなってしまう。このため、ソーラー時計用の文字板として、このような時計用文字板を好適に用いることは困難である。
上述したように、時計用文字板１Ａ中の透明フィルム１１の積層数は、３〜５０であるが、１０〜２０であることが好ましく、１５〜１８であることがより好ましい。これにより、上述したような効果はより顕著なものとなる。
【００１８】
［透明フィルム］
時計用文字板１Ａを構成する積層体２Ａは、上述したように、光透過性を有する樹脂材料で構成された透明フィルム１１を複数枚有するものである。
このような透明フィルム１１は、透明フィルム１１に対して垂直に入射した可視光（波長：３８０〜７８０ｎｍ）の透過率が、９４％以上であるのが好ましい。これにより、時計用文字板１Ａの光透過率をさらに優れたものとすることができる。また、例えば、時計用文字板１Ａの第２の面側に太陽電池を備えた時計では、太陽電池に十分な光量の光を照射することができ、ソーラー時計や、ソーラー電波時計として、実用上、十分な起電力を発生させることができる。
【００１９】
また、透明フィルム１１を構成する樹脂材料の屈折率ｎ１１は、１．４〜１．６の範囲にあるのが一般的である。屈折率により反射率が変わるので、適宜透過率を確保する最適枚数を決定することができる。これにより、透明フィルム１１の両表面において、入射光を好適に反射、透過させることができるため、光透過性を十分に高いものとしつつ、時計用文字板１Ａの美的外観を特に優れたものとすることができる。また、透明フィルム１１を構成する樹脂材料が上記条件を満たすものである場合には、比較的、積層数が少なくても、時計用文字板１Ａの美的外観を十分に優れたものとすることができる。これは、以下のように説明することができる。一般に、屈折率の低い物質（例えば、空気）から、屈折率の高い物質（例えば、樹脂材料）に光が入射する際、これらの物質の界面の垂線方向から、所定の角度（以下、臨界角と呼ぶ）よりも大きい角度で入射する光は、界面で全反射する。このような臨界角の角度は、お互いに隣接する物質間の屈折率の差が大きくなればなるほど、小さくなる（界面に入射した光のうち、全反射する光の成分が多くなる。）。したがって、上述したような樹脂材料の中でも、高い屈折率をもったＰＣを透明フィルム１１の構成材料として用いた場合には、臨界角の角度が小さくなり、透明フィルム１枚当たりの入射光を反射する効率を、より高いものとすることができる。したがって、透明フィルム１１の積層数が比較的少なくても、時計用文字板１Ａに入射する光をより好適に、第１の面側に反射することができるようになると考えられる。なお、時計用文字板１Ａを構成する積層体２Ａの積層数を減らすことができれば、時計用文字板１Ａの製造工程の簡略化、歩留まりの向上を図ることができる。
【００２０】
また、透明フィルム１１の１枚当たりの平均厚さは、２〜１５０μｍであるのが好ましい。薄いフィルムを用いると、積層数を多くしても、総厚みが厚くならず、スマートな時計を作ることができ、各フィルム面の反射率が高く、積層数が多くなくて良い場合は、比較的厚いフィルムを用いて、丈夫に作れるという相反する特性の中で、最適化できる。透明フィルム１１の平均厚さが前記範囲内の値であると、時計用文字板１Ａ全体としての光透過性を十分に高いものとしつつ、美的外観を特に優れたものとすることができる。また、積層体２Ａの強度を高くすることができるため、時計用文字板１Ａの耐久性をさらに優れたものとすることができる。
【００２１】
また、透明フィルム１１を構成する材料としては、例えば、ポリメチルメタクリレート（ＰＭＭＡ）、ポリカーボネート（ＰＣ）、アクリロニトリル−ブタジエンースチレン共重合体（ＡＢＳ樹脂）、ポリエチレンテレフタレート（ＰＥＴ）、ポリスチレン（ＰＳ）、ポリプロピレン（ＰＰ）等、またはこれらを主とする共重合体、ブレンド体、ポリマーアロイ等が挙げられ、これらのうちの１種または２種以上を組み合わせて（例えば、ブレンド樹脂、ポリマーアロイ等として）用いることができる。
【００２２】
この中でも、透明フィルム１１の構成材料は、ポリメチルメタクリレート（ＰＭＭＡ）であることが好ましい。ＰＭＭＡは上述したような材料の中でも、光透過性が特に優れた材料である。このため、ＰＭＭＡで構成された透明フィルム１１を備えた時計用文字板１Ａは、光透過性が特に優れたものとなる。また、ＰＭＭＡは、各種プラスチック材料の中でも比較的安価で、時計用文字板１Ａの生産コストのさらなる低減に寄与することができる。
なお、透明フィルム１１は上記に挙げた材料以外の成分を含むものであってもよい。このような成分としては、例えば、可塑剤、酸化防止剤、光沢剤、フィラー等が挙げられる。
【００２３】
また、透明フィルム１１の形状、大きさは、特に限定されず、通常、時計用文字板１Ａの形状、大きさに基づいて決定される。
また透明フィルム１１はいかなる方法で成形されたものであってもよいが、透明フィルム１１の成形方法としては、例えば、ロール延伸成形、塗布成形、スピンキャスト成形等が挙げられる。
【００２４】
［空気層］
時計用文字板１Ａを構成する積層体２Ａ中、隣り合う透明フィルム１１間には、空気層１２が設けられている。上述したように、時計用文字板１Ａは、透明フィルム１１と空気層１２とが交互に積層されることにより、透明フィルム１１の両表面における透過、反射現象が好適に起こり、時計用文字板１Ａの光透過性、および美的外観は、ともに優れたものとなる。
このような空気層１２の平均厚さは、２〜５０μｍであるのが好ましい。空気層は、光の波長より大きくて、薄くて安定していることが望まれる。
【００２５】
また、空気層１２は、隣り合う透明フィルム１１間にスペーサー１３が存在することにより設けられたものであることが好ましい。これにより、隣り合う透明フィルム１１間には、確実に空気層１２を設けることができる。これにより、透明フィルム１１の両表面は、確実に空気と接することになるため、積層体２Ａ中の各透明フィルム１１の両表面において、入射した光を好適に、透過、反射させることができ、時計用文字板１Ａの光透過性、および美的外観は特に優れたものとなる。
【００２６】
また、各々の空気層１２中には、複数個のスペーサー１３が配置され、そのスペーサー１３の平均ピッチは、５０〜２０００μｍである。上記条件を満足することにより、積層体２Ａ中の透明フィルム１１がたわむのを好適に防止し、空気層１２の厚さを、層全体としてより均一なものとすることができる（透明フィルム１１の厚さが、層全体として、均一なものとなる。）。これにより、各々の透明フィルム１１の両表面で起こる透過、および反射現象はさらに好適なものとなり、光透過性を十分に満足しつつ、時計用文字板１Ａの美的外観はさらに優れたものとなる。特に、観察者側から時計用文字板１Ａを見る際、どの方向から見ても、光沢にムラのない優れた美的外観を備えたものとなる。これは以下のように説明することができる。一般に、ある面に入射する光が、該面で反射される際、該面の法線方向と入射光とが成す角度は、該面の法線方向と反射光とが成す角度と同じである。したがって、上記条件を満たす空気層１２を備えた時計用文字板１Ａでは、外表面側から入射する光が、積層体２Ａ中の各透明フィルム１１の両表面において反射される際、全方向に対して均一に反射され、上記のような効果を得ることができるものと考えられる。これに対して、スペーサー１３の平均ピッチが、上記範囲の下限値よりも小さいと、各空気層１２中に配された複数のスペーサー１３が過密状態となり、時計用文字板１Ａの光透過性が悪化する可能性がある。また、空気層１２中に配された複数のスペーサー１３の平均ピッチが、上記範囲の上限値よりも大きいと、積層体２Ａ中の透明フィルム１１にたわみが生じ易くなり、積層体２Ａ中の各透明フィルム１１の両表面に入射する光を、全方向に対して均一に反射することが困難となる。これにより、見る方向により、光沢にムラのある時計用文字板１Ａとなってしまい、美的外観を損なう恐れがある。さらに、積層体２Ａ中の透明フィルム１１にたわみが生じると、隣り合う透明フィルム１１間での剥離が起こりやすくなり、積層体２Ａの強度が低下してしまう可能性がある。
【００２７】
また、スペーサー１３の形態は、特に限定されるものではなく、いかなるものであってもよいが、例えば、球形、楕円球形、円柱形、正方体形、長方体形などが挙げられる。この中でも、球形である場合には、スペーサー１３が、積層体２Ａの厚さ方向に重なり合うことがより確実に防止される。これにより、空気層１２の厚さは、層全体として、より均一なものとなり、時計用文字板１Ａの美的外観は特に優れたものとなる。さらに、時計用文字板１Ａを構成する積層体２Ａを平面視したときに、透明フィルム１１の面積に対して、複数のスペーサー１３が占める面積を他の形状のスペーサーを用いた場合に比べて、小さくすることができる。これにより、スペーサー１３の存在が目立ち難くなり、時計用文字板１Ａの美的外観はさらに優れたものとなる。
【００２８】
また、スペーサー１３を構成する材料としては、特に限定されないが、各種ガラスビーズ、熱可塑性樹脂、熱硬化性樹脂などの各種プラスチック材料、シリカ、アルミナ、酸化チタン、含水ケイ酸マグネシウムや含水ケイ酸アルミニウムなどの含水ケイ酸金属塩などの各種セラミック材料、または、各種金属材料を用いることができる。このような材料の中でも、スペーサー１３はガラスビーズで構成されたものであることが好ましい。これにより、積層体２Ａ中、透明フィルム１１とスペーサー１３との接合性を優れたものとすることができ、結果として積層体２Ａの強度は特に優れたものとなる。これにより、時計用文字板１Ａの耐久性をさらに優れたものとすることができる。また、ガラスビーズは、透明の材料であるため、ガラスビーズを主成分とするスペーサー１３を空気層１２に含んでいても、時計用文字板１Ａが有する真珠光沢のような美的外観が悪化するのを好適に防止することができる。さらに、時計用文字板１Ａの第２の面側の様子が透けて見えてしまうのを、より好適に防止することができる。
【００２９】
また、上述したような構成を有する時計用文字板１Ａは、時計用文字板１Ａを構成する積層体の法線方向から入射した可視光（波長：３８０〜７８０ｎｍ）の透過率が、２０〜５０％であるのが好ましい。これにより、例えば、時計用文字板１Ａの第２の面側に太陽電池を備えた時計では、太陽電池に十分な光量の光を照射することができ、ソーラー時計や、ソーラー電波時計として、実用上、十分な起電力を発生させることができる。
【００３０】
また、時計用文字板１Ａを構成する積層体２Ａ中、含まれる複数の透明フィルム１１は、すべて同じ樹脂材料で構成されていてもよいし、一部に異なる樹脂材料で構成されたものを含むものであってもよい。一部に異なる樹脂材料で構成された透明フィルム１１を用いて構成される時計用文字板１Ａとしては、例えば、ＰＣで構成された透明フィルム１１と、ＡＢＳ樹脂で構成された透明フィルム１１とが、お互いに空気層１２を介して、交互に積層されたものなどが挙げられる。
【００３１】
上述したような構成を有する時計用文字板１Ａの製造方法は、特に限定されるものではないが、例えば、透明フィルム１１を積層する際、各々の透明フィルム１１上に、上述したようなスペーサーを配しながら、所定の枚数の透明フィルム１１を積層した後、得られた積層体の周縁部に接着剤を塗布することにより、時計用文字板１Ａを製造することができる。また、上記の方法で、所定の枚数の透明フィルム１１を積層した後、得られた積層体の周縁部の一部に接着剤を塗布し、さらに、接着剤を塗布していない部分からスペーサー１３を取り除くことにより、積層体中、スペーサー１３を含まない時計用文字板１Ａを簡単に製造することができる。
【００３２】
＜時計用文字板（第２実施形態）＞
次に、本発明の時計用文字板の第２実施形態について説明する。以下の説明では、前述した実施形態（第１実施形態）との違いを中心に説明し、同様の事項についてはその説明を省略する。
図２は、本発明の時計用文字板の第２実施形態を示す断面図である。
本実施形態の時計用文字板１Ｂは、着色剤を含む着色フィルム１４を積層体２Ｂ中に有している以外は、第１実施形態の時計用文字板１Ａと同じ構成を有している。
【００３３】
このような着色フィルム１４は、入射した光を透過させる機能と、入射した光の一部を着色剤により色のついた光（着色光）として反射する機能とを有している。このような着色フィルム１４を、積層体２Ｂを構成するフィルムとして、前述した透明フィルム１１と同じように積層体中に含む時計用文字板１Ｂは、透明フィルム１１と空気層１２とが交互に積層されることにより発現する真珠光沢のような美的外観に、着色フィルム１４による色彩が加わったものとなる。これにより、時計用文字板１Ｂは、第１実施形態の時計用文字板１Ａでは表現できなかったような色調を表現することができ、特に優れた美的外観を備えたものとなる。また、着色フィルム１４の構成材料などを変更することにより、時計用文字板１Ｂの色彩を簡単に調整することができる。
【００３４】
また、時計用文字板１Ｂを構成する積層体２Ｂ中、着色フィルム１４の外表面側には、１枚、もしくは複数の透明フィルム１１が積層されている。これにより、着色フィルム１４で反射された着色光が、第１の面側に反射される際、着色光は、着色フィルム１４の第１の面側に配された空気層１２、および透明フィルム１１を透過することにより、しっとりとした光沢感のある光となり、時計用文字板１Ｂの外観をさらに高級感溢れるものとすることができる。
また、時計用文字板１Ｂを構成する積層体２Ｂ中、透明フィルム１１の積層枚数は、着色フィルムで透過率が下がる分だけ積層数を減らして補正することが好ましい。これにより、光透過性に優れるとともに、時計用文字板１Ｂの外観をさらに高級感溢れるものとすることができる。
【００３５】
このような、着色フィルム１４を構成する着色剤として、例えば、顔料、染料などが挙げられる。
また、着色フィルム１４は、構成材料として、樹脂材料を含むものであるのが好ましい。これにより、時計用文字板１Ｂを構成する積層体２Ｂの強度を高くすることができ、結果として、時計用文字板１Ｂの耐久性を優れたものとすることができる。このような樹脂材料としては、例えば、上述したような、透明フィルム１１を構成する樹脂材料や、ウレタン系樹脂等、またはこれらを主とする共重合体、ブレンド体、ポリマーアロイ等が挙げられ、これらのうちの１種または２種以上を組み合わせて（例えば、ブレンド樹脂、ポリマーアロイ等として）用いることができる。
【００３６】
また、着色フィルム１４の厚さは、特に限定されないが、構成上、薄くて機能するものが望まれる。着色フィルム１４の厚さが前記範囲内の値であると、着色フィルム１４の両表面において、より好適に、光を透過、反射させることができ、光透過性に優れながらも、時計用文字板１Ｂの色調制御された装飾性（美的外観）を特に優れたものにすることができる。
【００３７】
＜時計用文字板（第３実施形態）＞
次に、本発明の時計用文字板の第３実施形態について説明する。以下の説明では、前述した実施形態（第１実施形態、第２実施形態）との違いを中心に説明し、同様の事項についてはその説明を省略する。
図３は、本発明の時計用文字板の第３実施形態を示す断面図である。
本実施形態の時計用文字板１Ｃは、積層体２Ｃ中に、入射した光を拡散する機能を有する拡散フィルム１５を有している。以下、拡散フィルム１５について説明する。
【００３８】
このような拡散フィルム１５は、入射した光を透過させる機能と、入射した光の一部を散乱（拡散）させる機能を有している。このような拡散フィルム１５を、積層体２Ｃを構成するフィルムとして、上述した透明フィルム１１と同じように積層体中に含む時計用文字板１Ｃは、透明フィルム１１と空気層１２とが交互に積層されることにより発現する真珠光沢のような美的外観に、拡散フィルム１５により反射（散乱）される白色度の高い光が加わったものとなる。これにより、時計用文字板１Ｃは、時計用文字板１Ａ、および時計用文字板１Ｂでは表現出来なかったような、深みのある高級感溢れる光沢を表現することができ、特に優れた美的外観を備えたものとなる。
【００３９】
また、時計用文字板１Ｃを構成する積層体２Ｃ中、拡散フィルム１５の外表面側には、１枚、もしくは複数の透明フィルム１１が積層されている。これにより、拡散フィルム１５で反射（散乱）された光が、第１の面側に反射される際、反射した光は、拡散フィルム１５の第１の面側に配された空気層１２、および透明フィルム１１を透過することにより、しっとりとした光沢感のある光となり、時計用文字板１Ｃの外観をさらに高級感溢れるものとすることができる。
【００４０】
また、時計用文字板１Ｃを構成する積層体２Ｃ中、拡散フィルムで減じられた透過光量不足を補正するように透明フィルム１１の積層枚数を減らすことが望ましい。これにより、光透過性に優れるとともに、時計用文字板１Ｃの外観をさらに高級感溢れるものとすることができる。
【００４１】
このような、拡散フィルム１５は、入射した光を拡散する機能を有するものであればよく、例えば、光を拡散する機能を有する拡散剤を含むものや、フィルムの表面に微小な凹凸（表面粗さ計を用いて測定されるフィルム表面の表面粗さ：Ｒａの値が１〜５０μｍとなるもの）を有するものなどを好適に用いることができる。
また、上述したような拡散剤は、例えば、粒状（粉末状）、鱗片状、針状等、いかなる形状のものであってもよく、また、不定形のものであってもよい。このような、拡散剤の構成材料として、例えば、シリカ、ガラス等が挙げられる。
【００４２】
また、拡散フィルム１５は、構成材料として、樹脂材料を含むものであるのが好ましい。これにより、時計用文字板１Ｃを構成する積層体２Ｃの強度を高くすることができ、結果として、時計用文字板１Ｃの耐久性を優れたものとすることができる。このような樹脂材料としては、例えば、上述したような、透明フィルム１１を構成する樹脂材料や、ウレタン系樹脂等、またはこれらを主とする共重合体、ブレンド体、ポリマーアロイ等が挙げられ、これらのうちの１種または２種以上を組み合わせて（例えば、ブレンド樹脂、ポリマーアロイ等として）用いることができる。
また、拡散フィルム１５が、上述したような拡散剤、および樹脂材料を含むものである場合、拡散剤の配合量は、樹脂材料の重量に対して、３０重量％以下であることが好ましい。これにより、十分な光透過率を備えるとともに、時計用文字板１Ｃの美的外観は、さらに高級感溢れるものとすることができる。
【００４３】
また、時計用文字板１Ｃは、積層体２Ｃ中に着色フィルム１４をさらに含むものである。このため、時計用文字板１Ｃは、前記時計用文字板１Ｂが有するような色調と、上述したような、深みのある高級感溢れる光沢とが重なり合い、これらの相乗効果で、特に優れた美的外観を備えたものとなる。
また、時計用文字板１Ｃを構成する積層体２Ｃ中、着色フィルム１４、および拡散フィルム１５が積層される位置は特に限定されないが、着色フィルム１４が、拡散フィルム１５よりも、第１の面側に配された時計用文字板１Ｃの外観は、着色フィルム１４から発せられる反射光の色がより鮮明なものとなる。一方、拡散フィルム１５が、着色フィルム１４よりも、第１の面側に配された時計用文字板１Ｃの外観は、着色フィルム１４から発せられる反射光の色がより淡いものとなる。すなわち、時計用文字板１Ｃでは、着色フィルム１４と拡散フィルム１５との積層位置を変えることにより、文字板が有する色彩の濃淡を制御することができる。
また、時計用文字板１Ｃを構成する積層体は、着色フィルム１４、および拡散フィルム１５、両方を含むものとして説明したが、着色フィルム１４はなくてもよい。
【００４４】
＜時計用文字板（第４実施形態）＞
次に、本発明の時計用文字板のその他の実施形態について説明する。以下の説明では、前述した実施形態（第１の実施形態、第２の実施形態、第３の実施形態）との違いを中心に説明し、同様の事項についてはその説明を省略する。
図４は、本発明の時計用文字板の第４実施形態を示す断面図である。
【００４５】
本実施形態の時計用文字板１Ｄは、前記第１実施形態で説明した時計用文字板１Ａを構成する積層体２Ａの第２の面１７に、スペーサー１３を介して、前述した着色フィルム１４が配されたものである。このような構成を有する時計用文字板１Ｄは、積層体中、透明フィルム１１間に着色フィルム１４を含む時計用文字板１Ｂと同様の優れた美的外観、および光透過性を備えたものとなる。さらに、時計用文字板１Ｄを構成する着色フィルム１４は、積層体２Ａの第２の面１７側に配されたものであるため、簡単に取り外しが可能である。したがって、例えば、時計用文字板１Ｄを備えた時計では、着色フィルム１４を外したり、異なる着色剤を含む着色フィルムや、前述したような拡散フィルム１５に交換することにより、簡単に、好みの外観の文字板を備えた時計に交換することができ、多品種の時計用文字板の生産に有効である。
また、本実施形態の時計用文字板は、上記の構成に限られず、例えば、時計用文字板１Ｄを構成する積層体２Ａの第２の面１７側に、着色フィルム１４と拡散フィルム１５とを、両方とも備えたものでもよい。
【００４６】
また、本実施形態の時計用文字板で用いる着色フィルム１４は、積層体２Ａの第２の面１７と対向する面側に粘着性、接着性を付与することにより、積層体２Ａから、着色フィルム１４の着脱をさらに簡単に行うことができ、多品種の時計用文字板の生産にさらに有効である。
また、本実施形態の時計用文字板１Ｄでは、積層体と着色フィルム１４との間に、スペーサー１３が介挿されていなくてもよい。
【００４７】
＜時計用文字板（第５実施形態）＞
次に、本発明の時計用文字板のその他の実施形態について説明する。以下の説明では、前述した実施形態（第１の実施形態、第２の実施形態、第３の実施形態、第４実施形態）との違いを中心に説明し、同様の事項についてはその説明を省略する。
図５は、本発明の時計用文字板の第５実施形態を示す断面図である。
【００４８】
本実施形態の時計用文字板１Ｅは、時計用文字板１Ｄを構成する着色フィルム１４の代わりに、拡散フィルム１５を配したものである。このような時計用文字板１Ｅは、積層体中、拡散フィルム１５を含む時計用文字板と同様の優れた美的外観を備えたものとなるとともに、拡散フィルム１５の着脱を簡単に行うことができる。したがって、例えば、時計用文字板１Ｅを備えた時計では、拡散フィルム１５を外したり、着色フィルム１４に交換することにより、簡単に、好みの外観の文字板を備えた時計に交換することができ、多品種の時計用文字板の生産に有効である。
【００４９】
また、本実施形態の時計用文字板で用いる拡散フィルム１５は、積層体２Ａの第２の面１７と対向する面側に粘着性、接着性を付与することにより、積層体２Ａから、拡散フィルム１５の着脱をさらに簡単に行うことができ、多品種の時計用文字板の生産にさらに有効である。
また、本実施形態の時計用文字板１Ｅでは、積層体と拡散フィルム１５との間に、スペーサー１３が介挿されていなくてもよい。
【００５０】
＜時計＞
次に、上述したような本発明の時計用文字板を備えた本発明の時計について説明する。
本発明の時計は、上述したような本発明の時計用文字板を有するものである。上述したように、本発明の時計用文字板は、光透過性および装飾性（美的外観）に優れたものである。このため、このような時計用文字板を備えた本発明の時計は、ソーラー時計やソーラー電波時計としての求められる要件を十分に満足することができる。なお、本発明の時計を構成する前記時計用文字板（本発明の時計用文字板）以外の部品としては、公知のものを用いることができるが、以下に、本発明の時計の構成の一例について説明する。
【００５１】
図６は、本発明の時計（腕時計）の好適な実施形態を示す断面図である。
図６に示すように、本実施形態の腕時計（携帯時計）１００は、胴（ケース）７２と、裏蓋７３と、ベゼル（縁）７４と、ガラス板（カバーガラス）７５とを備えている。また、ケース７２内には、前述したような本発明の時計用文字板１（１Ａ、１Ｂ、１Ｃ、１Ｄ、１Ｅ）と、太陽電池８８と、ムーブメント７１とが収納されており、さらに、図示しない針（指針）等が収納されている。そして、時計用文字板１は、第１の面１６がガラス板７５側を向くように配置されている。
【００５２】
ガラス板７５は、通常、透明性の高い透明ガラスやサファイア等で構成されている。これにより、本発明の時計用文字板としての文字板１の審美性を十分に発揮させることができるとともに、太陽電池８８に十分な光量の光を入射させることができる。
ムーブメント７１は、太陽電池８８の起電力を利用して、指針を駆動する。
図２中では省略しているが、ムーブメント７１内には、例えば、太陽電池８８の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
また、ムーブメント７１は、図示しない電波受信用のアンテナを備えている。そして、受信した電波を用いて時刻調整等を行う機能を有している。
【００５３】
太陽電池８８は、光エネルギーを電気エネルギーに変換する機能を有する。そして、太陽電池８８で変換された電気エネルギーは、ムーブメントの駆動等に利用される。
太陽電池８８は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００５４】
胴７２には巻真パイプ７６が嵌入・固定され、この巻真パイプ７６内にはりゅうず７７の軸部７７１が回転可能に挿入されている。
胴７２とベゼル７４とは、プラスチックパッキン７８により固定され、ベゼル７４とガラス板７５とはプラスチックパッキン７９により固定されている。
また、胴７２に対し裏蓋７３が嵌合（または螺合）されており、これらの接合部（シール部）８５には、リング状のゴムパッキン（裏蓋パッキン）８４が圧縮状態で介挿されている。この構成によりシール部８５が液密に封止され、防水機能が得られる。
【００５５】
りゅうず７７の軸部７７１の途中の外周には溝７７２が形成され、この溝７７２内にはリング状のゴムパッキン（りゅうずパッキン）８３が嵌合されている。ゴムパッキン８３は巻真パイプ７６の内周面に密着し、該内周面と溝７７２の内面との間で圧縮される。この構成により、りゅうず７７と巻真パイプ７６との間が液密に封止され防水機能が得られる。なお、りゅうず７７を回転操作したとき、ゴムパッキン８３は軸部７７１と共に回転し、巻真パイプ７６の内周面に密着しながら周方向に摺動する。
【００５６】
なお、上記の説明では、時計の一例として、腕時計（携帯時計）を挙げて説明したが、本発明は、腕時計以外の携帯時計、置時計、掛け時計等の他の種類の時計にも同様に適用することができる。
なお、上記の説明では、文字板として本発明の時計用文字板が適用されたものを用いるものとして説明したが、文字板以外の部品（時計用文字板）に本発明の時計用文字板が適用されてもよい。例えば、時計を構成する胴（ケース）、針等が本発明の時計用文字板で構成されたものであってもよい。また、時計を構成する複数の部品（時計用文字板）が本発明の時計用文字板で構成されたものであってもよい。
【００５７】
また、時計用文字板１（１Ａ、１Ｂ、１Ｃ、１Ｄ、１Ｅ）は、上述したように、優れた美的外観を備えたものであるとともに、優れた光透過性を有するものであることから、時計用文字板として用いられるだけに限られず、時計用文字板以外の様々な装飾用化粧板としても用いることができる。例えば、太陽電池で駆動するような携帯電話や電子計算機などの各種電子機器に対して、太陽電池上（太陽電池の受光面上）に時計用文字板１と同じ構成の装飾用化粧板を配することによって、太陽電池が各種電子機器の外表面側から透けて見えてしまうのを確実に防止することができるとともに、これらの電子機器の装飾性を高いものとすることができる。また、このような装飾用化粧板は優れた美的外観（装飾性）を備えたものであるため、例えば、置物等のインテリア、エクステリア用品、宝飾品、時計ケース（胴、裏蓋、胴と裏蓋とが一体化されたワンピースケース等）、時計バンド（バンド中留、バンド・バングル着脱機構等を含む）、時計用針、ベゼル（例えば、回転ベゼル等）、りゅうず（例えば、ネジロック式りゅうず等）、ボタン、カバーガラス、ガラス縁、ダイヤルリング、見切板、パッキン等の時計用外装部品、ムーブメントの地板、歯車、輪列受け、回転錘等の時計用内装部品、メガネ（例えば、メガネフレーム）、ネクタイピン、カフスボタン、指輪、ネックレス、ブレスレット、アンクレット、ブローチ、ペンダント、イヤリング、ピアス等の装身具、ライターまたはそのケース、自動車のホイール、ゴルフクラブ等のスポーツ用品、銘板、パネル、賞杯、その他ハウジング等を含む各種機器部品、各種容器等に適用することができる。
【００５８】
以上、上記の説明では、時計用文字板１（１Ａ、１Ｂ、１Ｃ、１Ｄ、１Ｅ）について説明したが、本発明は、これらに限定されるものではない。
例えば、時計用文字板を構成する積層体の周面部が、樹脂材料で覆われていてもよい。これにより、積層体中の隣り合う透明フィルム及び、着色フィルム、拡散フィルム間で起こる剥離現象を、長期間に渡って効果的に防止することができ、時計用文字板の耐久性、および信頼性はさらに優れたものとなる。また、積層体の周面部が、樹脂材料で覆われたものであるため、各層にゴミ等が混入するのを確実に防止することができ、長期間に渡って、時計用文字板の優れた美的外観を維持することができる。
【００５９】
また、時計用文字板が、各空気層中にスペーサーを含むものである場合、このようなスペーサーは、各空気層中に複数個含むものでもよいし、１個しか含まないものであってもよい。例えば、時計用文字板の外周の大きさに合わせたリング状の部材を、スペーサーとして各空気層中に１つずつ含ませた場合でも、上述したような効果を得ることができる。
また、時計用文字板を構成する積層体中、少なくとも隣り合う透明フィルム間に空気層を有していればよく、例えば、透明フィルムと着色フィルムとの間、透明フィルムと拡散フィルムとの間、また、着色フィルムと拡散フィルムとの間には、空気層が設けられていなくてもよい。
また、上述したような各実施形態の時計用文字板に含まれる、着色フィルム、および拡散フィルムは、１枚であってもよいし、複数枚であってもよい。
【００６０】
また、本発明の時計用文字板は、時計用文字板を構成する積層体の最外表面側に、光透過性を有する材料で構成されたコート層（保護膜）を有していてもよい。このようなコート層（保護膜）を有することにより、例えば、光の透過性を十分に高いものとしつつ、光沢性、色調等を調整することができ、時計用文字板の美的外観をさらに優れたものとすることができる。また、このようなコート層（保護膜）を有することにより、例えば、時計用文字板全体としての、耐食性、耐候性、耐水性、耐油性、耐擦傷性、耐摩耗性、耐変色性等の各種特性を向上させることができ、外部環境の影響による透明フィルムの劣化、変性等をより確実に防止することができる。その結果、時計用文字板としての耐久性を特に優れたものとすることができる。
【００６１】
また、前述した第２実施形態の時計用文字板１Ｂ、および第３実施形態の時計用文字板１Ｃでは、着色フィルム１４、もしくは拡散フィルム１５は、積層体中、透明フィルム１１間に含むものとして説明したが、積層体を構成するフィルムとして最外表面に配されたものであってもよい。
また、各実施形態で説明した各時計用文字板は、透明フィルムと着色フィルムとの間、透明フィルムと拡散フィルムとの間、もしくは、着色フィルムと拡散フィルムとの間に、例えば、少なくとも１層の中間層があってもよい。
【実施例】
【００６２】
次に、本発明の具体的実施例について説明する。
１．時計用文字板の製造
（実施例１）
以下に示すような方法により、時計用文字板を製造した。
まず、ポリメチルメタクリレート（ＰＭＭＡ）フィルム（三菱レーヨン社製、商品名「アクリプレンＨＢＳ００６」、膜厚２５μｍ）を腕時計用外装部品（文字板）の形状になるように、必要箇所を切削、研磨し、透明フィルムとした。このようにして得られた透明フィルムは、略円盤状をなし、直径：約２７ｍｍであった。
【００６３】
次に、上記のようにして得られたＰＭＭＡフィルムの上に、分級したガラスビーズ（株式会社ユニオン社製、商品名「ユニビーズＳＰＭ１６」、平均粒径：１６ミクロン）：４３ｍｇを均等に散りばめ、その上に、さらに、ＰＭＭＡフィルムを載せた。このように、ＰＭＭＡフィルムの上に、上記のガラスビーズを同量、均等に散りばめては、ＰＭＭＡフィルムを載せる作業を繰り返し、ＰＭＭＡフィルムが１４枚積層された積層体を作製した。なお、各ＰＭＭＡフィルムの上に散りばめられたガラスビーズの平均粒径は、１６μｍであり、ピッチを光学顕微鏡で観察したところ、約３００μｍであった。
次に、このようにして得られた積層体の外周縁部にアクリル接着剤を塗布し、時計用文字板を得た。
【００６４】
（実施例２、３）
ＰＭＭＡフィルムを積層する際、ＰＭＭＡフィルムの上に散りばめるガラスビーズの量、および、使用するＰＭＭＡフィルムの枚数を変更し、スペーサーの平均ピッチ、および、ＰＣフィルムの積層枚数を表１に示すようにした以外は、実施例１と同様にして時計用文字板を製造した。
【００６５】
（実施例４）
実施例１で用いたＰＭＭＡフィルムの上に、同じく実施例１で用いたガラスビーズ：４３ｍｇを均等に散りばめ、その上に、さらにＰＭＭＡフィルムを載せた。このように、ＰＭＭＡフィルムの上に、上記のガラスビーズを同量、均等に散りばめては、ＰＭＭＡフィルムを載せる作業を繰り返し、ＰＭＭＡフィルムが１０枚積層された積層体を得た。
【００６６】
次に、１０枚目に積層されたＰＭＭＡフィルムの上に、同様にガラスビーズを散りばめた後、着色剤とウレタン系粘着剤（ウレタン系樹脂）とで構成される着色フィルム（平均厚さ：３５μｍ）を載せた。その後、着色フィルムの上に、５枚のＰＭＭＡフィルムを同様の方法を用いて積層し、得られた積層体の外周縁部にアクリル接着剤を塗布し、時計用文字板を得た。
【００６７】
（実施例５）
実施例１で用いたＰＭＭＡフィルムの上に、同じく実施例１で用いたガラスビーズ：４３ｍｇを均等に散りばめ、その上に、さらにＰＭＭＡフィルムを載せた。このように、ＰＭＭＡフィルムの上に、上記のガラスビーズを同量、均等に散りばめては、ＰＭＭＡフィルムを載せる作業を繰り返し、ＰＭＭＡフィルムが９枚積層された積層体を得た。
【００６８】
次に、９枚目に積層されたＰＭＭＡフィルムの上に、同様にガラスビーズを散りばめた後、拡散剤とウレタン系粘着剤（ウレタン系樹脂）とで構成される拡散フィルム（平均厚さ：３０μｍ）を載せた。その後、拡散フィルムの上に、１枚のＰＭＭＡフィルムを同様の方法を用いて積層し、さらに、着色フィルムを1枚、続いて、ＰＭＭＡフィルムを５枚、同様に積層した。このようにして得られた積層体の外周縁部にアクリル接着剤を塗布し、時計用文字板を得た。
【００６９】
（実施例６）
実施例１で用いたＰＭＭＡフィルムの代わりに、ポリカーボネート（ＰＣ）フィルム（三菱エンジニアリングプラスチックス社製、商品名「ユーピロン」、膜厚１００μｍ）を用いた以外は、実施例１と同様に時計用文字板を製造した。
【００７０】
（比較例１）
ＰＭＭＡフィルムの積層枚数を表１に示すようにした以外は、実施例２と同様に時計用文字板を製造した。
（比較例２）
ＰＭＭＡフィルムを積層する際、ＰＭＭＡフィルムの上に散りばめるガラスビーズの量、および、使用するＰＭＭＡフィルムの枚数を変更し、スペーサーの平均ピッチ、および、ＰＭＭＡフィルムの積層枚数を表１に示すようにした以外は、実施例１と同様にして時計用文字板を製造した。
【００７１】
（比較例３）
ペレット状のポリカーボネートを、圧縮成形により、フィルム状にし、腕時計用外装部品（文字板）の形状になるように、必要箇所を切削、研磨し、透明フィルムとした。なお、このようにして得られたＰＣフィルムは、略円盤状をなし、直径：約２７ｍｍ×厚さ：約５００μｍであった。
次に、実施例４で用いた着色フィルムを、上記ＰＣフィルムの第２の面に貼り合わせ、時計用文字板を得た。
【００７２】
（比較例４）
ペレット状のポリカーボネート：１００重量部と、シリカ（平均粒径３．０μｍ）：１３重量部とを、溶融混練し、ポリカーボネート中に、酸化ケイ素を十分に分散させた。このようにして得られた溶融混練物を、圧縮成形により、フィルム状にし、腕時計用外装部品（文字板）の形状になるように、必要箇所を切削、研磨し、フィルム状に形成した。なお、このようにして得られたフィルムは、略円盤状をなし、直径：約２７ｍｍ×厚さ：約５００μｍであった。
【００７３】
（比較例５）
ペレット状のポリカーボネート：１００重量部と、シリカ（平均粒径３．０μｍ）：３５重量部とを、溶融混練し、ポリカーボネート中に、酸化ケイ素を十分に分散させた。このようにして得られた溶融混練物を、圧縮成形により、フィルム状にし、腕時計用外装部品（文字板）の形状になるように、必要箇所を切削、研磨し、フィルム状に形成した。なお、このようにして得られたフィルムは、略円盤状をなし、直径：約２７ｍｍ×厚さ：約５００μｍであった。
各実施例および各比較例の時計用文字板の構成を表１にまとめて示す。なお、表１中、ポリメチルメタクリレートをＰＭＭＡ、ポリカーボネートをＰＣ、テトラフロオロエチレン−ヘキサフロオロプロピレン共重合体をＦＥＰ、シリカをＳｉＯ２でそれぞれ示した。
【００７４】
【表１】
2008122161.tif 000003
【００７５】
２．時計用文字板の外観評価
前記各実施例および各比較例で製造した各時計用文字板について、第２の面側に太陽電池を備えた時計用文字板として使用する際の外表面側（第１の面側）から、目視による観察を行い、これらの外観を以下の６段階の基準に従い、評価した。
◎◎：極めて優れた外観を有している。
◎：優れた外観を有している。
○：良好な外観を有している。
△：外観がやや不良。
×：外観が不良。
××：外観が極めて不良。
【００７６】
３．時計用文字板の光透過率評価
前記各実施例および各比較例で製造した各時計用文字板について、以下のような方法により、光透過率を評価した。
まず、太陽電池と各時計用文字板とを暗室にいれた。その後、太陽電池単体でその受光面に対し、所定距離離間した蛍光灯（光源）からの光を入射させた。この際、太陽電池の発電電流をＡ［ｍＡ］とした。次に、前記太陽電池の受光面の上面に、第２の面が前記太陽電池に対向するように時計用文字板を重ね合わせた状態で、前記と同様に所定距離離間した蛍光灯（光源）からの光を入射させた。この状態での、太陽電池の発電電流をＢ［ｍＡ］とした。そして、（Ｂ／Ａ）×１００で表される時計用文字板の光透過率を算出し、以下の４段階の基準に従い、評価した。光透過率が大きいほど、時計用文字板の光透過性は優れたものであるといえる。なお、時計用文字板は、基材の金属化合物が形成された面側が蛍光灯（光源）側を向くように重ね合わせた。
◎：３０％以上。
○：２５％以上３０％未満。
△：２１％以上２５％未満。
×：２１％未満。
【００７７】
その後、前記各実施例および各比較例で製造した時計用文字板を用いて、図６に示すような腕時計を製造した。そして、製造された各腕時計を暗室にいれた。その後、時計の文字板側の面（ガラス板側の面）から、所定距離離間した蛍光灯（光源）からの光を入射させた。この際、光の照射強度が次第に大きくなるように照射強度を一定の速度で変化させた。その結果、本発明の時計および比較例の時計すべてが、比較的照射強度が小さい場合でもムーブメントが駆動した。
これらの結果を表２に示す。
【００７８】
【表２】
2008122161.tif 000004
【００７９】
表２から明らかなように、本発明の時計用文字板は、いずれも真珠光沢のような優れた美的外観を有するとともに、光の透過性に優れていた。
また、実施例１〜３の各時計用文字板に対して、各時計用文字板の第２の面に、実施例４で用いた着色フィルムを張り合わせたところ、実施例４の時計用文字板が有するような美的外観を備えた時計用文字板を得ることができた。また、同様に、実施例１〜３の各時計用文字板に対して、各時計用文字板の第２の面に、実施例５で用いた拡散フィルムを張り合わせた後、この拡散フィルムに、さらに上記着色フィルムを張り合わせたところ、実施例５の時計用文字板が有するような美的外観を備えた時計用文字板を得ることができた。
これに対し、比較例では、満足な結果が得られなかった。すなわち、これらの比較例の時計用文字板では、優れた光透過性と、優れた美的外観とを同時に両立することができなかった。
【００８０】
また、各実施例および各比較例で得られた文字板（時計用文字板）を用いて、図５に示すような時計を組み立てた。このようにして得られた各時計について、上記と同様の試験、評価を行ったところ、上記と同様の結果が得られた。
さらに、電波受信用のアンテナを備えた腕時計用内部モジュール（ムーブメント）の外表面側（光が入射する側）に各実施例および各比較例で製造した時計用文字板を配置し、この状態における腕時計用内部モジュール（ムーブメント）の電波の受信感度を評価した。その結果、各実施例で得られた時計用文字板を用いたものは、電磁波の透過性にも優れているものであった。
【図面の簡単な説明】
【００８１】
【図１】本発明の時計用文字板の第１実施形態を示す断面図である。
【図２】本発明の時計用文字板の第２実施形態を示す断面図である。
【図３】本発明の時計用文字板の第３実施形態を示す断面図である。
【図４】本発明の時計用文字板の第４実施形態を示す断面図である。
【図５】本発明の時計用文字板の第５実施形態を示す断面図である。
【図６】本発明の時計（携帯時計）の好適な実施形態を示す部分断面図である。
【符号の説明】
【００８２】
１（１Ａ、１Ｂ、１Ｃ、１Ｄ、１Ｅ）…時計用文字板  ２（２Ａ、２Ｂ、２Ｃ）…積層体  １１…透明フィルム  １２…空気層  １３…スペーサー  １４…着色フィルム  １５…拡散フィルム  １６…第１の面  １７…第２の面  ７１…ムーブメント  ７２…胴（ケース）  ７３…裏蓋  ７４…ベゼル（縁）  ７５…ガラス板（カバーガラス）  ７６…巻真パイプ  ７７…りゅうず  ７７１…軸部  ７７２…溝  ７８…プラスチックパッキン  ７９…プラスチックパッキン  ８３…ゴムパッキン（りゅうずパッキン）  ８４…ゴムパッキン（裏蓋パッキン）  ８５…接合部（シール部）  ８８…太陽電池  １００…腕時計（携帯時計）
【図１】
2008122161.tif 000005
【図２】
2008122161.tif 000006
【図３】
2008122161.tif 000007
【図４】
2008122161.tif 000008
【図５】
2008122161.tif 000009
【図６】
2008122161.tif 000010